(57)【要約】      （修正有）【課題】積重時にずれることなく安定して積み重ねられるクリアランス物収納容器を提供する。【解決手段】クリアランス物が収納される容器本体２を備える。容器本体は、上部に他の容器本体が載置され得る載置面２１が設けられるとともに下部が他の容器本体の載置面上に載置される載置部２２として設けられて上下に積み重ね可能に形成されてなる。容器本体には、この容器本体の載置面の上縁部からこの載置面上に載置された他の容器本体の載置部の外側に沿って上方に延びるガイド片３が設けられている。ガイド片には、クレーン等の昇降装置の吊下支持具に取り外し可能に係合されて容器本体を吊り下げて移動するための係合部４が設けられている。【選択図】図１
0003170386.tif 000002
【実用新案登録請求の範囲】
【請求項１】
クリアランス物が収納される容器本体を備えた収納容器であって、
前記容器本体は、上部に他の容器本体が載置され得る載置面が設けられるとともに下部が他の容器本体の載置面上に載置される載置部として設けられて上下に積み重ね可能に形成されてなり、
前記容器本体には、この容器本体の載置面の上縁部からこの載置面上に載置された他の容器本体の載置部の外側に沿って上方に延びるガイド片が設けられ、
前記ガイド片には、クレーン等の昇降装置の吊下支持具に取り外し可能に係合されて前記容器本体を吊り下げて移動するための係合部が設けられていることを特徴とするクリアランス物収納容器。
【請求項２】
前記載置面の上縁部から上方に延びる箇所の前記ガイド片の高さ方向の一部または全部が、この載置面とは反対側に傾斜して形成されている請求項１に記載のクリアランス物収納容器。
【請求項３】
前記容器本体は、直方体状に形成され、
前記ガイド片は、前記容器本体の４つの角部全てに各角部をそれぞれ覆う水平断面Ｌ字状の４つのガイドＬ部を有する請求項１又は２に記載のクリアランス物収納容器。
【請求項４】
前記ガイドＬ部を形成する２つの辺部には、それぞれ前記係合部が設けられている請求項３に記載のクリアランス物収納容器。
【考案の詳細な説明】
【技術分野】
【０００１】
本考案は、原子力施設や研究施設等からでた放射性物質に汚染された低レベル放射性廃棄物から放射線防護及び経済的な観点から放射性物質を除去（除染）することによって得られた安全上問題がないクリアランスレベル以下であることが確認されたものすなわちクリアランス物を収納する容器に関するものである。
【背景技術】
【０００２】
原子力施設や研究施設等では、放射性物質が表面に付着することによって汚染した放射性廃棄物が多数発生する。放射性廃棄物は、ドラム缶や専用コンテナに収納されて廃棄物貯蔵施設に貯蔵された後、放射性廃棄物処理施設において埋設等により処理される。放射性廃棄物の処理には専用の機器や設備を必要とし、長期間にわたって管理する必要もあるため多額の費用がかかる。放射性廃棄物のうち低レベル放射性廃棄物を、管理区域において放射性廃棄物の表面に付着した放射性物質を除去することによって除染して安全上問題がないクリアランスレベル以下であることが確認されたものすなわちクリアランス物とし、このクリアランス物を非管理区域等において切断、溶融固化等の処理を経て一般廃棄物として処理または再利用することが検討されている。クリアランス物は、一般廃棄物として処理する場合も再利用する場合もいずれも収納容器に収納されて例えば原子力施設近傍の保管施設に保管する。
【０００３】
クリアランス物を収納する収納容器としては、専用のものはなく、例えば、放射性廃棄物を収納する放射性廃棄物収納容器を用いることが提案される。放射性廃棄物収納容器としては、例えば、特開平９−３３６９４号公報に記載されたものが知られている。この放射性廃棄物収納容器は、容器本体を角型に形成して、多数の容器を並べた場合に保管施設の空間の無駄をなくすようにしている。しかしながら、原子力施設や研究施設等からでる放射性廃棄物の量は多く、保管施設のスペースが限られているので、収納容器を積み重ねることが考えられ、積重時にずれることなく安定して積み重ねられるようにすることが求められる。
【考案の概要】
【考案が解決しようとする課題】
【０００４】
本考案が解決しようとする課題は、積重ね時にずれることなく安定して積み重ねられるクリアランス物収納容器を提供することにある。
【課題を解決するための手段】
【０００５】
前記課題を解決するため、本考案に係るクリアランス物収納容器は、上部の開口からクリアランス物が入れられて収納される容器本体と、前記容器本体の上部に取り付けられ前記開口の開閉を行う蓋体とを備えた収納容器であって、前記容器本体は、上部に他の容器本体が載置され得る載置面が設けられるとともに下部が他の容器本体の載置面上に載置される載置部として設けられて上下に積み重ね可能に形成され、前記容器本体には、この容器本体の載置面の上縁部からこの載置面上に載置された他の容器本体の載置部の外側を上方に延びるガイド片が設けられ、前記ガイド片には、クレーン等の昇降装置に取り外し可能に係合されて前記容器本体を吊り下げて移動する係合部が設けられていることを特徴とする。
【０００６】
このように、容器本体は、上部に載置面が設けられ、下部が載置部として設けられて上下に積み重ね可能に形成されているので、容器本体を積み重ねて保管することが可能となる。容器本体を積み重ねたとき、容器本体に、この容器本体の載置面上に載置された他の容器本体の載置部の外側を上方に延びるガイド片が設けられているので、他の容器本体を載置面に対してずれることなく安定して積み重ねることができ、かつ、積重ね後に他の容器本体が載置面からずれることがなく容器本体の積み重ねた状態を維持することが可能となる。また、ガイド片に、クレーン等の昇降装置に取り外し可能に係合されて容器本体を吊り下げて移動する係合部が設けられていることで、容器本体の移動を簡単に行える。
【０００７】
この場合において、載置面の上縁部から上方に延びる箇所の前記ガイド片の高さ方向の一部または全部を、この載置面とは反対側に傾斜して形成することができる。また、容器本体を直方体状に形成し、ガイド片が、容器本体の４つの角部全てに各角部をそれぞれ覆う水平断面Ｌ字状の４つのガイドＬ部を有することができる。さらに、Ｌ字状のガイドＬ部を形成する２つの辺部に、それぞれ係合部を設けることができる。
【考案の効果】
【０００８】
本考案によれば、他の容器本体を載置面に対してずれることなく安定して積み重ねることができ、かつ、容器本体の積み重ねた状態を維持することができ、さらに、容器本体の移動を簡単に行える。
【図面の簡単な説明】
【０００９】
【図１】本考案に係る一例の実施形態のクリアランス物収納容器を示す正面断面図である。
【図２】本実施形態の一例のクリアランス物収納容器をクレーンで移動させて積み重ね保管している状態を示す図である。
【図３】本実施形態の他の一例のクリアランス物収納容器を示す正面断面図である。
【考案を実施するための形態】
【００１０】
以下、本考案に係るクリアランス物収納容器の一実施形態を添付図面に基づいて説明する。図１に示すように、本実施形態の一例のクリアランス物収納容器１は、上部の開口からクリアランス物が入れられて収納される容器本体２を備えている。本実施形態のクリアランス物収納容器１に収納するクリアランス物は、低レベル放射性廃棄物を除染して安全上問題がないクリアランスレベル以下であることが確認されたものを切断、溶融固化等の処理を経て一般廃棄物として処理または再利用することができるものであり、特に再利用することができる金属である。
【００１１】
容器本体２は、クリアランス物を上部の開口から容器本体２内に入れて収納することができれば、その形状は特に限定されず、例えば、鋼板やクリアランス物を処理して得られた材料等で略直方体状に形成されている。容器本体２の内壁面の上部には、補強部材としての上部枠部材２６が上部の開口を形成するように矩形状に設けられている。また、容器本体２の内壁面には、上下方向に延びる補強部材としての側部枠部材２７が各内壁面の幅方向（水平方向）のほぼ中央部に設けられている。なお、側部枠部材２７は、容器本体２の内壁面の幅方向の中央部に設けられているが、これに限定されず、角部近傍や他の箇所に設けるようにしてもよい。容器本体２の上部には、開口の開閉を行う蓋体５が取り付けられている。蓋体５は、容器本体２に取り外し可能で開口を開閉可能に取り付けてもよいし、取り外しができない状態で開口を開閉可能に取り付けてもよい。蓋体５は、容器本体２の開口を密封状態で閉じる形状で、例えば、容器本体２と同じ材料で形成されている。
【００１２】
容器本体２の上部には、他の容器本体２が載置され得る載置面２１が設けられている。載置面２１は、水平面で、他の容器本体２を載置することができればその形状は特に限定されず、例えば、蓋体５の上面を載置面２１として形成している。なお、載置面２１は、本実施形態では蓋体５の上面で形成しているが、これに限定されず、容器本体２の上面を載置面２１として形成するようにしてもよい。容器本体２の下部は、他の容器本体２の載置面２１上に載置される載置部２２として形成されている。載置部２２は、水平断面略矩形状に形成されている。また、載置部２２には、例えば、フォークリフト等により搬送を行うためのリフト係合部２５が設けられている。
【００１３】
容器本体２には、ガイド片３が設けられている。ガイド片３は、載置面２１の上縁部からこの載置面２１上に載置された他の容器本体２の載置部２２の外側を上方に延びて形成されている。これにより、載置面２１上に載置された別の容器本体２が載置面２１からずれることが防止される。このため、ガイド片３は、容器本体２の４つの側部の各上縁部からそれぞれ上方に延び、かつ、設置位置が載置面２１上に載置された別の容器本体２が載置面２１からずれることが防止される位置になるように設けられていることが好ましい。
【００１４】
ガイド片３としては、例えば、図１に示すように、水平断面Ｌ字状に形成してもよいし、図３に示すように、容器本体２の上縁部全体を覆うように矩形筒体状に形成してもよい。すなわち、ガイド片３は、容器本体２の４つの角部全てに各角部をそれぞれ覆う水平断面Ｌ字状の４つのガイドＬ部を有することが好ましい。このガイドＬ部は、図１に示す例では４つのＬ字状のガイド片３に相当する。このＬ字状のガイド片３を形成する２つの辺部の延出方向の長さは、載置面２１上に載置された別の容器本体２が載置面２１からずれることが防止される範囲から任意に設定される。なお、本実施の形態では、ガイド片３としては図１に示すようにＬ字状のガイド片を用いた場合について説明するが、これに限定されるものではない。
【００１５】
ガイド片３の載置面２１の上縁部から上方に延びる箇所の高さ方向の一部または全部を載置面２１とは反対側に傾斜して形成することが好ましく、例えば、ガイド片３は、載置面２１の上縁部の近傍を除いた部分が傾斜されて傾斜部３２として形成されてなる。すなわち、ガイド片３は、縦断面高さ方向に延びる直線状の基部３１と、基部３１の上端から傾斜した傾斜部３２とから形成され、基部３１の上端が載置面２１の上縁部から上方に延びるように基部３１を容器本体２の側部の上端に溶接等により固定された状態で設けられている。これにより、載置面２１上に別のクリアランス物収納容器の容器本体２が載置されるときに、別の容器本体２の位置がずれてもガイド片３の傾斜部３２によって載置面２１上に案内されるので、載置面２１上に別の容器本体２がずれた状態で載置されることが防止されるようになっている。
【００１６】
また、ガイド片３には、クレーン等の昇降装置に取り外し可能に係合されて容器本体２すなわちクリアランス物収納容器を吊り下げて移動するための係合部４が設けられている。係合部４は、昇降装置例えばクレーン１０の吊下支持具１１（図２参照。）に係合し得る横長の矩形状の穴で形成されている。係合部４の位置は、クレーンの吊下支持具に係合されてクリアランス物収納容器を吊り下げ移動することができれば特に限定されず、例えば、ガイド片３を形成する２つの各辺部である。すなわち、係合部４は、容器本体２の４つの各側部の上端の両側の２箇所つまり合計８箇所に設けられている。ガイド片３は、例えば、容器本体２と同じ材料で、その厚さ及び高さは、クレーンで吊り下げ移動可能でかつ別の容器本体２の載置時の位置ずれ及び載置後の位置ずれを防止し得る範囲から任意に設定される。
【００１７】
また、容器本体２の外表面に、酸化チタン等を含む光触媒塗装又はフッソ樹脂等からなる撥水塗装が施されていることが好ましい。このように、容器本体２の外表面に、光触媒塗装又はフッソ樹脂等からなる撥水塗装が施されていることで、容器本体２の外表面が汚れにくくなる。また、容器本体２に、ＲＦＩＤタグ等のＩＣタグを設けるようにしてもよい。これにより、内容物の情報を内容物を見ることなく確認できることが可能になる。
【００１８】
次に、本実施形態のクリアランス物収納容器でクリアランス物を保管する場合について説明する。容器本体２の開口を開けてクリアランス物をこの開口から容器本体２内に入れ、この開口を蓋体５で閉じる。これにより、クリアランス物収納容器にクリアランス物が密封された状態で収納される。このクリアランス物収納容器を台車やトラック等に乗せて移動させる場合には、フォークリフトを用いて例えばクレーンで吊り下げ可能な箇所に移動させる。
【００１９】
移動後、例えば、図２に示すように、クレーン１０を駆動させてクレーン１０の吊下支持具１１をクリアランス物収納容器１の係合部４に係合させ、クレーン１０によってクリアランス物収納容器１を吊り下げて所望の箇所に移動させる。このとき、係合部４は、容器本体２の４つの各側部の上端の両側の２箇所つまり合計８箇所に設けられているので、クリアランス物収納容器１を安定した状態で吊り下げて簡単に移動することができる。これにより、クリアランス物収納容器１を所定の箇所に移動させて保管することが可能となる。
【００２０】
このとき、容器本体２の上部に載置面２１が設けられ、下部が載置部２２として設けられて上下に積み重ね可能に形成されているので、容器本体２すなわちクリアランス物収納容器１を積み重ねて保管することができる。すなわち、クレーン１０によってクリアランス物収納容器１が吊り下げられて別のクリアランス物収納容器１上に移動した後にクレーン１０によって吊り下げられたクリアランス物収納容器１を別のクリアランス物収納容器１へと下降させる。このとき、下降させるクリアランス物収納容器１の容器本体２（上側の容器本体２）の載置部２２を別のクリアランス物収納容器１の容器本体２（上側の容器本体２）の載置面２１に載置させる。これにより、クリアランス物収納容器１を積み重ねて保管することができる。
【００２１】
容器本体２を積み重ねたとき、容器本体２にガイド片３が設けられていることで、積重ね後に振動等で上側の容器本体２が下側の容器本体２の載置面２１からずれようとする力が作用しても上側の容器本体２が下側の容器本体２のガイド片３に接触して上側の容器本体２がずれることがないので、容器本体２すなわちクリアランス物収納容器１の積み重ねた状態を維持することができる。また、ガイド片３に、クレーン１０の吊下支持具１１に取り外し可能に係合されて容器本体２を吊り下げて移動する係合部４が設けられていることで、容器本体２の移動を簡単に行える。
【００２２】
また、容器本体２にガイド片３が設けられていることで、上側の容器本体２を下側の容器本体２の載置面２１に対してずれることなく安定して積み重ねることができる。また、ガイド片３に傾斜部３２が設けられていることで、下側の容器本体２の載置面２１上に上側の容器本体２を下降させて載置させるときに、下側の容器本体２の載置面２１に対して上側の容器本体２の位置が多少ずれて、すなわち、上側の容器本体２の載置部２２の外縁部が下側の容器本体２のガイド片３の傾斜部３２に接触する程度に上側の容器本体２の位置がずれたとき、クレーンによって吊り下げられた状態のまま上側の容器本体２の載置部２２の外縁部が下側の容器本体２のガイド片３の傾斜部３２に接触してこの傾斜部３２の傾斜によって上側の容器本体２の載置部２２が下側の容器本体２の載置面２１上に案内されるので、上側の容器本体２を下側の容器本体２の載置面２１からずれることなく下側の容器本体２上に正確に載置することができる。
【符号の説明】
【００２３】
１  クリアランス収容容器
２  容器本体
３  ガイド片
４  係合部
５  蓋体
２１  載置面
２２  載置部
【図１】
0003170386.tif 000003
【図２】
0003170386.tif 000004
【図３】
0003170386.tif 000005